(57)【特許請求の範囲】
【請求項１】
釣竿の竿体に設けられリールを脱着自在に装着するためのリールシートであって、
前記竿体の所定位置の上側周面に固定され、リールを載置するための載置面が上面側に形成された略半割筒状の上本体部と、
前記竿体の所定位置の下側周面に前記上本体部と共に配置され、下面側に突出するトリガーを有し、軸方向に移動可能であり且つ軸方向の任意の箇所に固定可能な略半割筒状の下本体部と
を備えたリールシート。
【請求項２】
前記下本体部の竿元側端部を覆うように配置された内周面に雌ねじ部を有するナット部をさらに備え、
前記下本体部は竿元側端部に前記雌ねじ部に螺合する雄ねじ部を有する、請求項１に記載のリールシート。
【請求項３】
前記上本体部と前記下本体部とが組み合わされて全体として略円筒型を形成している、請求項１または２に記載のリールシート。
【発明の詳細な説明】
【０００１】
【発明の属する技術分野】
本発明は、釣竿の竿体外周面に設けられリールを取付可能なリールシートに関する。
【０００２】
【従来の技術】
釣竿には、スピニングリール，両軸受けリール等の釣用リールを取り付けるためのリールシートが設けられている。例えば、従来のリールシートでナット式と呼ばれるリールシートは、釣用リールの脚部の一端を係止する固定フードと雄ネジ部とを有する本体部と、移動シート部と、ナット部とを有している。この移動シート部はリールの脚部の他端を係止する移動フード部を有し、シート本体に対して相対移動可能である。ナット部は雄ネジ部に螺合して移動シート部を移動させる。
【０００３】
このようなリールシートでは、リールの脚部の一端を本体部の固定フードに係止した状態でナット部を回転させて、移動シート部を固定フードに接近させて、移動シート部の移動フードでリールの脚部の他端を係止する。このように固定フード及び移動フードでリールの脚部を挟持してリールを釣竿に固定する。
【０００４】
また、リールシートのリールの脚部を載せる側と反対側の周面には、トリガーと呼ばれる指を引っかけておくための突起が設けられていることがある。釣人はリールシート付近をリールシートに取り付けたリールと共に把持しつつリール操作を行う。この際に、このトリガーに指を引っかけて安定した状態でリール操作を行うのである。
【０００５】
【発明が解決しようとする課題】
このようなリールシートのトリガーは、リールシートの本体部の一部が突出した状態で形成されている。このリールシートの本体部は竿体周面に固定されているため、当然にトリガーも竿体に固定されていることになる。このため、釣人がトリガーに指を引っかけつつリールシート付近を把持してリール操作を行う場合、釣人の手の大きさや把持する感覚にトリガーの位置が完全に適合しない場合もあった。このようにトリガー位置が釣人に適合しなければ、良好なリール操作を行いがたい。
【０００６】
そこで、トリガーのみをルールシートと別途形成して、トリガーを任意の箇所に釣人が配置することも考えられる。しかし、このようにトリガーのみをリールシートから独立して別途形成するのでは、大きな力が指からかかるトリガーの強度に不安もあり、またトリガーの交換作業も煩雑である。さらに、リールシートの意匠性も良好でない。
【０００７】
本発明の課題は、釣人が良好な状態でリール操作が可能であると共に、耐久性操作性にも優れるリールシートを提供することにある。
【０００８】
【課題を解決するための手段】
発明１にかかるリールシートは、釣竿の竿体に設けられリールを脱着自在に装着するためのリールシートであって、竿体の所定位置の上側周面に固定され、リールを載置するための載置面が上面側に形成された略半割筒状の上本体部と、竿体の所定位置の下側周面に上本体部と共に配置され、下面側に突出するトリガーを有し、軸方向に移動可能であり且つ軸方向の任意の箇所に固定可能な略半割筒状の下本体部とを備えている。
【０００９】
このリールシートでは、竿体周面に固定されているリールシートの上側半周部分を形成する上本体部の載置面にリールを載置して固定する。この上本体部自体は竿体周面に固定されているため、リール取付時の安定性に欠けるものではない。一方、リールシートの下側半周部分を形成する下本体部は竿体に沿って軸方向に移動である。釣人は自らの手の大きさや感覚に合わせてこの下本体部を移動させて、下本体部に形成されているトリガーの位置を変更できる。このトリガーはリールシートの下本体部の一部として形成されており、耐久性にも優れ、意匠性も向上する。
【００１０】
発明２にかかるリールシートは、発明１のリールシートであって、下本体部の竿元側端部を覆うように配置された内周面に雌ねじ部を有するナット部をさらに備え、下本体部は竿元側端部に雌ねじ部に螺合する雄ねじ部を有する。
【００１１】
このリールシートでは、ナット部を周方向に回転させることで、ナット部に螺合している下本体部が軸方向に移動すると共に任意の箇所で固定される。このようにナット部を操作することで容易に下本体部を軸方向に移動させることが可能である。
【００１２】
発明３にかかるリールシートは、発明１または２のリールシートであって、上本体部と下本体部とが組み合わされて全体として略円筒型を形成している。
このリールシートでは、上本体部と下本体部とで略円筒型を形成しており、外形上通常のリールシートと相違することなく、自然な形状でトリガーの位置を変更可能である。
【００１３】
【発明の実施の形態】
以下、本発明の一実施形態について、図面を参照しつつ説明する。
本発明の一実施形態を採用した釣竿は、竿体１と、竿体１の竿元側周面に配置されるグリップ２と、グリップ２の穂先側の竿体１周面に配置されるリールシート１０と、竿体１の周面に軸方向に間隔を隔てて配置された複数の釣糸ガイド３とを有している。
【００１４】
竿体１は、繊維強化樹脂から構成される先細り筒状体であり、一般に、複数のパーツを振出式または並継式に組み合せて構成されている。
リールシート１０は、釣用リール（図示せず）の脚部を係止して釣用リールを竿体１に装着するための部分である。図２〜７に詳しく示すように、このリールシート１０は、竿体１の上側周面に固定され、リールを載置するための載置面が上面側に形成された略半割筒状の上本体部１１と、竿体１の下側周面に上本体部１１と共に配置される略半割筒状の下本体部１２と、上本体部１１と下本体部１２の穂先側を覆うように配置されるフロントカバー１３と、上本体部１１と下本体部１２の竿元側を覆うように配置されるナット部１５とを有している。
【００１５】
上本体部１１は、軸方向に伸びる貫通孔を有し（図５・６参照）ここに竿体１が貫通した状態で竿体１の周面に固定される合成樹脂または金属からなる変形半割筒状部材である。外形上リールシート１０の上側半分を構成することになる。この上本体部１１の上側面の所定の位置には平坦な載置面が形成されており、その竿元側には穂先側に開口する固定フード１１ａが形成されている。固定フード１１ａの竿元側には弾性体やその他の合成樹脂からなる部材１４が貼り付けられ固定されている。また、上本体部１１の竿元側端部分は小径部分となっており、この外周にナット部１５が配置される。さらに、図７に詳しく示すように、上本体部１１の穂先側部分における下面側部分には軸方向に並んで一定の範囲に複数の突起１１ｂが形成されている。この突起１１ｂはそれぞれ竿元側が大径・穂先側が小径になるように傾斜がつけられている。
【００１６】
下本体部１２は、軸方向に伸びる外形上略半割筒状部材である。上本体１０と同様に合成樹脂等によって形成される。外形上は上本体部１０と一体性をかもしだすように連続して略円筒型を形成するようにデザインされており、さらにそのデザインに合わせて種々の湾曲が施されている（図２参照）。また、図５及び図６等に示すように、径方向断面視においてはその中央付近に上方に向かってコの字型のフック部分を有し、この部分が上本体部１１に組み合わされ、上本体部１１に対して周方向に回転不在で軸方向には移動可能になっている。さらに、下本体部１２の竿元側端部はやや小径化した雄ねじ部１２ａとなっており、その外周にナット部１５が配置される（図８参照）。なお、下本体部１２の軸方向長さ中央付近よりやや穂先側には下方に突出するトリガー１２ｂが一体的に形成されている（図２参照）。
【００１７】
図３，４及び図７に詳しく示すように、フロントカバー１３は略円筒型部材であり、内部を軸方向に竿体１が貫通すると共に、竿元側の開口から内部に上本体部１１と下本体部１２とを収納した状態で配置されている。そして、このフロントカバー１１は、カバー本体２１と、このカバー本体２１内に配置されるロック部２２と、ロック部２２内に配置されるコイルバネ２３とから構成されている。
【００１８】
カバー本体２１は、軸方向に貫通する貫通孔を有すると共に軸方向中央付近に上面側から開口して貫通孔に連続する空間１００を有する部材である。貫通孔には軸方向に竿体１及び上本体部１１が挿通される。また、貫通孔の竿元側端部上側は上本体部１１の載置面に位置し、ここが移動フードとして載置面に載置されるリールの脚部を覆うようになっている。一方、貫通孔の竿元側端部下側は竿体１との間に比較的大きな空隙が形成されており、後述のように、ここに竿元側から下本体部１２が軸方向に移動しつつ出入りするようになっている（図９参照）。
【００１９】
ロック部２２は、図４及び図７に示すように、軸方向に貫通する貫通孔を有する箱形部材である。竿体１及び上本体部１１がこの貫通孔を貫通した状態でロック部２２はカバー本体２１の空間１００内に配置される。その下面側に余剰の空隙があるように空間１００は設定されており、空間１００内において上下方向にロック部２２は移動可能である。
【００２０】
一方、ロック部２２内には上本体部１１との間にコイルバネ２３が配置されている。このコイルバネ２３がロック部２２を相対的に上方に付勢し、ロック部２２は空間１００上端周縁のカバー本体２１のフランジで抑えられて上方へ飛び出すのを抑えられている。一方、ロック部２２の貫通孔下側内周面には、軸方向に並んで複数の突起２２ａが形成されている。この突起２２ａはそれぞれ竿元側が大径・穂先側が小径になるように傾斜がつけられており、上本体部１１の穂先側部分における下面側部分の突起１１ｂと噛み合うようになっている。
【００２１】
図８に詳しく示すように、ナット部１５は、上本体部１１・下本体部１２の竿元側端部を内部に収納するように配置される筒状部材である。穂先側部分は大径部分・竿元側部分は小径部分となっており、この大径部分は外部に露出し、小径部分はグリップ２の穂先側に覆われている。そして、竿体１及び上本体部１１・下本体部１２の外周を周方向に回転自在となっている。また、小径部分の内周面にはねじ山が形成されて雌ねじ部となっており、下本体部１２の雄ねじ部１２ａが螺合している。
【００２２】
この釣竿では、竿体１に固定されているリールシート１０の上本体部１１の載置面にリールの脚部を載置し、その一端を固定フード１１ａに挿入し、フロントカバー１３を竿元側に移動させてカバー本体２１の竿元側端部でリールの脚部の他端を覆い、固定フード１１ａとカバー本体２１とでリールの脚部を挟持して固定する（図９（a）参照）。このようにフロントカバー１３を竿元側に移動させる場合は、ロック部２２の複数の突起２２ａと上本体部１１の穂先側部分における下面側部分の突起１１ｂとはその傾斜方向から竿元側には容易にスライドする。そして、コイルバネ２３の付勢によって噛み合っている突起１１ｂ，２２ａはフロントカバー１３の穂先側へのスライドを規制している。
【００２３】
一方、リールを取り外す場合には、図９（ｂ）に示すように、フロントカバー１３のロック部２２をコイルバネ２３の押し込み、突起１１ｂ，２２ａの噛み合いを解除する。これにより、フロントカバー１３は穂先側に移動でき、リールを取り外すことができる。
【００２４】
また、リールを取り付けて釣りを行う場合には、釣人はトリガー１２ｂに指をかけながらリールシート１０及びリールを把持して釣りを行う。ここで、上本体部１１自体は竿体１周面に固定されているため、リール取付時の安定性に欠けるものではない。そして、釣人が手の大きさや感覚に従ってトリガー１２ｂの位置を調整したい場合には、図１０に示すように、ナット部１５を周方向に回転させることで、ナット部１５に螺合している下本体部１２が軸方向に移動すると共に任意の箇所で固定される。このトリガー１２ｂはリールシートの下本体部の一部として形成されており、耐久性にも優れるものである。また、上本体部１１と下本体部１２とが組み合わされて略円筒型を形成しており、外形上通常のリールシートと相違することもない。
【００２５】
［他の実施形態］
（ａ）固定フード，フロントカバーの軸方向位置を穂先側と竿元側とで入れ替えてもよい。
【００２６】
【発明の効果】
本発明に係るリールシートは、釣人が良好な状態でリール操作が可能であると共に、耐久性操作性にも優れる。
【図面の簡単な説明】
【図１】本発明の一実施形態を採用した釣竿の全体図。
【図２】図１のリールシート付近の拡大図。
【図３】図２の軸方向断面図。
【図４】図３のIV−IV断面図。
【図５】図３のV−V断面図。
【図６】図３のVI−VI断面図。
【図７】フロントカバーの断面図。
【図８】ナット部付近の断面図。
【図９】フロントカバーの移動を示した図。
【図１０】下本体部の移動を示した図。
【符号の説明】
１  竿体
１０  リールシート
１１  上本体部
１２  下本体部
１２ｂ  トリガー
１３  フロントカバー
１５  ナット部
２１  カバー本体
２２  ロック部
２３  コイルバネ
【図１】
0004412693.tif 000002
【図２】
0004412693.tif 000003
【図３】
0004412693.tif 000004
【図４】
0004412693.tif 000005
【図５】
0004412693.tif 000006
【図６】
0004412693.tif 000007
【図７】
0004412693.tif 000008
【図８】
0004412693.tif 000009
【図９】
0004412693.tif 000010
【図１０】
0004412693.tif 000011